(57)【要約】【課題】カメラまたはサポーターとレンズの取り付け時のコネクタへの負荷低減を可能とし、コネクタの破損防止機構を備えた撮影システムを提供すること。【解決手段】カメラ側マウント面にカメラ側引っ掛け部とカメラ側コネクタと、を備えるカメラ装置と、レンズ側マウント面に前記カメラ側引っ掛け部と対応する位置に設けられたレンズ側引っ掛け部と、前記カメラ側コネクタに対応する位置に設けられ、前記カメラ側コネクタに挿入されることによって前記カメラ装置と電気的な接続を行うレンズ側コネクタと、を備えるレンズ装置と、で構成される撮影システムであって、カメラ側コネクタとレンズ側コネクタの少なくとも一方のコネクタは、前記カメラ側引っ掛け部または前記レンズ側引っ掛け部に対して傾いていることを特徴とする構成とした。【選択図】  図１
2018200366.tif 000002
【特許請求の範囲】
【請求項１】
カメラ側マウント面にカメラ側引っ掛け部とカメラ側コネクタと、
を備えるカメラ装置と、
レンズ側マウント面に
前記カメラ側引っ掛け部と対応する位置に設けられたレンズ側引っ掛け部と、
前記カメラ側コネクタに対応する位置に設けられ、前記カメラ側コネクタに挿入されることによって前記カメラ装置と電気的な接続を行うレンズ側コネクタと、
を備えるレンズ装置と、
で構成される撮影システムであって、
カメラ側コネクタとレンズ側コネクタの少なくとも一方のコネクタは、
前記カメラ側引っ掛け部または前記レンズ側引っ掛け部に対して傾きを持っている
ことを特徴とする撮影システム。
【請求項２】
前記傾きの最大角度は、
前記カメラ側コネクタと前記レンズ側コネクタが接触する際の、
前記カメラ側マウント面と前記レンズ側マウントとがなす角である
ことを特徴とする請求項１に記載の撮影システム。
【請求項３】
前記傾きを与える手段は、
カメラ側マウント面とカメラ側コネクタの連結部材と
レンズ側マウント面とレンズ側コネクタの連結部材と
の少なくとも一方の連結部材は弾性部材で構成されている
ことを特徴とする請求項１または２に記載の撮影システム。
【発明の詳細な説明】
【技術分野】
【０００１】
本発明は撮影システムに関し、特にコネクタを備える撮影システムに関するものである。
【背景技術】
【０００２】
主に大型カメラや大型レンズを対象として、カメラまたはサポーターに、レンズを取り付けるハンガマウント方式では、カメラ側とレンズ側の双方のマウント面に引っ掛け部が設けてある。
【０００３】
レンズ取り付けの際には、まず初めに、レンズ側の引っ掛け部をカメラ側の引っ掛け部に引っ掛ける。次に、レンズを回動することで、レンズ側マウント面をカメラ側マウント面に徐々に近づけて、最終的にマウント面同士を係合する。実際にはマウント面に、位置決めピンやコネクタなどの、レンズとカメラで対となって接続する構成部品が形成されており、マウント面の係合とともに、これらの前記構成部品も係合する。
【０００４】
特許文献１では、レンズをカメラに容易に取り付けるために、レンズ幅方向にガイド部材を設けて、引っ掛けやすくすることを特徴としたレンズの取り付け構造が開示されている。
【先行技術文献】
【特許文献】
【０００５】
【特許文献１】特開平７−２２５４２４号公報
【発明の概要】
【発明が解決しようとする課題】
【０００６】
しかしながら、上述の特許文献に開示された従来技術では、引っ掛けた後の取り付けについて述べられていない。レンズ側マウント面とカメラ側マウント面の双方には対となる複数の構成部品が形成されており、これらの構成部品の相互間の位置関係に注意をしながらマウント面を係合する必要があるが、レンズが大型であるが故に、これは容易な作業ではない。
【０００７】
仮に、前述した位置関係が不適切な状態であれば、マウント面上の構成部品に負荷がかかる。特にコネクタは、電気的な接続を担う精密部品であるため、大きな負荷がかかることは好ましくない。さらに想定以上の負荷がかかることで破損するおそれもある。
【０００８】
そこで、本発明の目的は、カメラまたはサポーターとレンズの取り付け時のコネクタへの負荷低減を可能とし、コネクタの破損防止機構を備えた撮影システムを提供することである。
【課題を解決するための手段】
【０００９】
上記目的を達成するために、本発明は、カメラ側マウント面にカメラ側引っ掛け部とカメラ側コネクタと、を備えるカメラ装置と、レンズ側マウント面に前記カメラ側引っ掛け部と対応する位置に設けられたレンズ側引っ掛け部と、前記カメラ側コネクタに対応する位置に設けられ、前記カメラ側コネクタに挿入されることによって前記カメラ装置と電気的な接続を行うレンズ側コネクタと、を備えるレンズ装置と、で構成される撮影システムであって、カメラ側コネクタとレンズ側コネクタの少なくとも一方のコネクタは、前記カメラ側引っ掛け部または前記レンズ側引っ掛け部に対して傾いていることを特徴とする
【発明の効果】
【００１０】
本発明によれば、カメラ側コネクタとレンズ側コネクタの少なくとも一方のコネクタが引っ掛け部の方に傾きをもつことで、レンズ側コネクタとカメラ側コネクタの破損を防止できる撮影システムを提供することができる。
【図面の簡単な説明】
【００１１】
【図１】撮影システム１０１の構成を示す説明図
【図２】レンズ２０１とカメラ３０１の取り付けを示す説明図
【図３】レンズ側コネクタ２０５の構成を示す説明図
【図４】カメラ側コネクタ３０５の構成を示す説明図
【図５】実施例１におけるコネクタ挿入部の拡大図
【図６】レンズ側コネクタ４０５の構成を示す説明図
【図７】実施例２におけるコネクタ挿入部の拡大図
【発明を実施するための形態】
【００１２】
以下に、本発明の好ましい実施の形態を、添付の図面に基づいて詳細に説明する。図１から図７は、本発明の実施形態にかかわる撮影システムの説明図である。
【００１３】
［実施例１］
以下、図１から図５を参照して、本発明の第１の実施例による、撮影システムについて説明する。
【００１４】
図１に基づいて、レンズ２０１とカメラ３０１から構成されている撮影システム１０１を詳細に説明する。レンズ２０１は、レンズ側マウント面２０２が形成されていて、レンズ側マウント面２０２上には、レンズ側引っ掛け部２０３、レンズ位置決めピン２０４、レンズ側コネクタ２０５などの部品が配置されている。
【００１５】
カメラ３０１は、カメラ側マウント面３０２が形成されていて、カメラ側マウント面３０２上には、カメラ側引っ掛け部３０３、Ｕ溝３０４、カメラ側コネクタ３０５などの部品が配置されている。レンズ側マウント面２０２とカメラ側マウント面３０２の各部品の配置は、レンズ側引っ掛け部２０３とカメラ側引っ掛け部３０３、レンズ位置決めピン２０４とＵ溝３０４、レンズ側コネクタ２０５とカメラ側コネクタ３０５、が相対する位置関係になっている。
【００１６】
図１、図２に基づいて、レンズ２０１とカメラ３０１の取り付けについて説明する。まず初めに、図２(a)のように、レンズ位置決めピン２０４とＵ溝３０４を合わせながら、レンズ側引っ掛け部２０３をカメラ側引っ掛け部３０３に引っ掛ける。次に、レンズ側マウント面２０２とカメラ側マウント面３０２が徐々に近づくように、レンズ側引っ掛け部２０３またはカメラ側引っ掛け部３０３を回転中心として、レンズ２０１を回動する。レンズ側コネクタ２０５がカメラ側コネクタ３０５に挿入され、レンズ側マウント面２０２とカメラ側マウント面３０２が密着し、図２(b)のように取り付けが完了する。
【００１７】
図３に基づいて、レンズ側コネクタ２０５について詳細に説明する。図３(a)は正面図で、図３(b)はa-a断面を示した図である。レンズ側コネクタ２０５は、マウント側保持板金１・コネクタ側保持板金２・保持板金回転軸３・コネクタ傾き規制部材４・コネクタ傾きバネ５・可動ピン６・可動ピン用バネ７・メスコネクタ８から構成されている。
【００１８】
ここで、図３(b)に示すように、レンズ側マウント面２０２における(Xl,Yl)座標系とメスコネクタ８における(Xcn,Ycn)座標系を定義して、レンズ側コネクタ２０５の構造を説明する。
【００１９】
マウント側保持板金１とコネクタ側保持板金２は、保持板金回転軸３を中心として、Xl方向とXcn方向のなす角θl-cの傾きを持つことができる。なす角θl-cの傾きは、コネクタ傾き規制部材４により、所望する最大角度θmaxに規制され、さらにコネクタ傾きバネ５により、初期状態でθmaxによせられている。
【００２０】
メスコネクタ８とコネクタ側保持板金２は、可動ピン６により、Xcn方向のみに可動な状態で結合されている。さらに可動ピン６は、可動ピン用バネ７により、Xcn正方向によせた状態となっている。なお、レンズ側コネクタ２０５とレンズマウント面２０２の固定は、マウント側保持板金１とレンズ側マウント面２０２をビス止めなどの公知の手段を用いる。
【００２１】
上述の構造によりレンズ側コネクタ２０５は、レンズ側引っ掛け部２０３側に最大角度θmax傾きを持つことができる。
【００２２】
図４に基づいて、カメラ側コネクタ３０５について詳細に説明する。カメラ側コネクタ３０５は、オスコネクタ９のみから構成されており、カメラ側コネクタ３０５とカメラ側マウント面３０２の固定は、ビス止めなどの公知の手段を用いる。
【００２３】
図５に基づいて、本発明の効果を詳細に説明する。図５は、レンズ２０１がカメラ３０１に回動し、レンズ側コネクタ２０５がカメラ側コネクタ３０５へ挿入が始まる状態の拡大図を示している。ここで、レンズ側コネクタ２０５の二つの座標系、つまり前述したレンズ側マウント面２０２における(Xl,Yl)座標系・メスコネクタ８における(Xcn,Ycn)座標系に加えて、カメラ側コネクタ３０５(Xc,Yc)を定義する。
【００２４】
レンズ側コネクタ２０５がレンズ側引っ掛け部２０３側に傾きを持つことで、XlとXcのなす角θl-cよりもXcnとXcのなす角θcn-cのほうが小さくなる。XcnとXcのなす角θcn-cは、メスコネクタ８とオスコネクタ９の挿入力には不必要な成分であるため、小さければ小さいほどよい。したがって理想的には、XcnとXcのなす角θcn-cは0°で、これはメスコネクタ８とオスコネクタ９の挿入方向が相互に一致する状態である。つまりコネクタの傾きの最大角度θmaxは、メスコネクタ８とオスコネクタ９の挿入方向が相互に一致するように設定し、挿入力には不必要な成分が発生しないことが望ましい。
【００２５】
メスコネクタ８とオスコネクタ９の挿入が始まると、レンズ２０１の回転中心とメスコネクタ８の回転中心が異なるため、メスコネクタ８はXcnの負の方向に可動し、その力は可動ピン用バネ７が吸収する。
【００２６】
このように、メスコネクタ８からオスコネクタ９にかかる負荷は、レンズ側コネクタ２０５がメスコネクタ８のみの構成で固定されている場合と比較して小さくなるため、レンズ側コネクタ２０５とカメラ側コネクタ３０５の破損を防止することができる。
【００２７】
以上の構成によって、レンズ側コネクタとカメラ側コネクタの破損を防止できる撮影システムを提供することができる。
【００２８】
本実施例では、レンズ側コネクタ２０５が傾きを持つ構造について示したが、レンズ側コネクタ２０５とカメラ側コネクタ３０５の少なくとも一方が傾きを持つ構造であればよい。また、撮影システム１０１は、レンズ２０１とカメラ３０１による構成について示したが、カメラ３０１はハンディカメラの取り付けに用いるサポーターなど、本実施例で説明した取り付け方式であれば、同様の効果を得ることができる。
【００２９】
［実施例２］
以下、図６、図７を参照して、本発明の第２の実施例による、撮影システムについて説明する。なお、本実施例の形態では第一の実施例のレンズ側コネクタ２０５と異なるレンズ側コネクタ４０５についてのみ説明を行い、その他同一の部分については同一の符号を付し、説明を省略する。
【００３０】
図６に基づいて、レンズ側コネクタ４０５について詳細に説明する。図６(a)は正面図で、図６(b)はb-b断面を示した図である。ここで、図６(b)に示すように、レンズ側マウント面２０２における(Xl,Yl)座標系とメスコネクタ８における(Xcn,Ycn)座標系を定義して、レンズ側コネクタ４０５の構造を説明する。
【００３１】
レンズ側コネクタ４０５は、弾性部材１０とメスコネクタ８から構成される。弾性部材１０の断面形状は、台形となっており、メスコネクタ８は、レンズ側マウント面２０２に対して、Xl方向とXcn方向のなす角θmaxの傾きを持つことができる。弾性部材１０とレンズ側マウント面２０２の固定は、ビス止めなどの公知の手段を用いる。
【００３２】
図７に基づいて、本発明の効果を詳細に説明する。図７は、レンズ２０１がカメラ３０１に回動し、レンズ側コネクタ４０５がカメラ側コネクタ３０５へ挿入が始まる状態の拡大図を示している。
【００３３】
ここで、図7に示すように、レンズ側マウント面２０２における(Xl,Yl)座標系・メスコネクタ８における(Xcn,Ycn)座標系・カメラ側マウント３０２における(Xc,Yc)座標系を定義して、レンズ側コネクタ４０５の構造を説明する。
【００３４】
レンズ側コネクタ４０５がレンズ側引っ掛け部２０３側に傾きを持つことで、XlとXcのなす角θl-cよりもXcnとXcのなす角θcn-cのほうが小さくなる。XcnとXcのなす角θcn-cは、メスコネクタ８とオスコネクタ９の挿入力には不必要な成分であるため、小さければ小さいほどよい。したがって理想的には、XcnとXcのなす角θcn-cは0°で、これはメスコネクタ８とオスコネクタ９の挿入方向が相互に一致する状態である。つまりコネクタの傾きの最大角度θmaxは、メスコネクタ８とオスコネクタ９の挿入方向が相互に一致するように設定し、挿入力には不必要な成分が発生しないことが望ましい。
【００３５】
メスコネクタ８とオスコネクタ９の挿入が始まると、メスコネクタ８はXcnの負の方向に可動する。弾性部材１０はゴムのような弾性部材で構成されていることによって、Xcnの負の方向に発生する力を弾性部材１０が吸収することができる。
【００３６】
したがって、メスコネクタ８からオスコネクタ９にかかる負荷は、レンズ側コネクタ４０５がメスコネクタ８のみから構成されている場合と比較して小さくなるため、レンズ側コネクタ４０５とカメラ側コネクタ３０５の破損を防止することができる。
【００３７】
以上の構成によって、レンズ側コネクタとカメラ側コネクタの破損を防止できる撮影システムを提供することができる。
【００３８】
本実施例では、レンズ側コネクタ４０５が傾きを持つ構造について示したが、レンズ側コネクタ４０５とカメラ側コネクタ３０５の少なくとも一方が傾きを持つ構造であればよい。また、撮影システム１０１は、レンズ２０１とカメラ３０１による構成について示したが、カメラ３０１はハンディカメラの取り付けに用いるサポーターなど、本実施例で説明した取り付け方式であれば、同様の効果を得ることができる。
【符号の説明】
【００３９】
１０１  撮影システム
２０１  レンズ
２０２  レンズ側マウント面
２０３  レンズ側引っ掛け部
２０４  レンズ位置決めピン
２０５  レンズ側コネクタ
３０１  カメラ
３０２  カメラ側マウント面
３０３  カメラ側引っ掛け部
３０４  Ｕ溝
３０５  カメラ側コネクタ
４０５  レンズ側コネクタ
１  マウント側保持板金
２  コネクタ側保持板金
３  保持板金回転軸
４  コネクタ傾き規制部材
５  コネクタ傾きバネ
６  可動ピン
７  可動ピン用バネ
８  メスコネクタ
９  オスコネクタ
１０  弾性部材
【図１】
2018200366.tif 000003
【図２】
2018200366.tif 000004
【図３】
2018200366.tif 000005
【図４】
2018200366.tif 000006
【図５】
2018200366.tif 000007
【図６】
2018200366.tif 000008
【図７】
2018200366.tif 000009